(57)【要約】【課題】送風装置等に使用される送風制御プログラムにおいて、心地よいゆらぎの変動感を与えつつ、温感が熱的中立を維持できることで快適性を向上させることを目的とする。【解決手段】空間へ気流を送風する際の時系列な風量変化として、小風量を送風する弱気流２４と、大風量を送風する強気流２５を交互に発生させる送風制御であって、強気流２５の最大風量である強上限風量２７と室温に応じて規定される温感変化点風量２８とを比較し、強気流２５から弱気流２４に移行する際の風量である強終了風量を制御するものであり、これにより所期の目的を達成するものである。【選択図】図７
2018091155.tif 000002
【特許請求の範囲】
【請求項１】
小風量を送風する弱気流と、大風量を送風する強気流とを発生させる送風制御を備えた送風装置であって、前記強気流の最大風量である強上限風量と室温に応じて規定される温感変化点風量とを比較し、前記強気流から前記弱気流に移行する際の風量である強終了風量を制御することを特徴とする送風装置。
【請求項２】
前記強上限風量が室温に応じて規定される温感変化点風量よりも大きい場合は前記強終了風量を前記弱気流から前記強気流へ移行する際の風量である強開始風量よりも小さくするように制御することを特徴とする請求項１に記載の送風装置。
【請求項３】
前記強上限風量が室温に応じて規定される温感変化点風量よりも小さい場合は強終了風量を前記弱気流から前記強気流へ移行する際の風量である強開始風量よりも大きくするように制御することを特徴とする請求項１に記載の送風装置。
【請求項４】
前記強上限風量が室温に応じて規定される温感変化点風量よりも大きい場合に設定される第１強終了風量は、前記強上限風量が室温に応じて規定される温感変化点風量よりも低い場合に設定される第２強終了風量よりも小さくするように制御することを特徴とする請求項１に記載の送風装置。
【請求項５】
前記強上限風量が前記温感変化点風量よりも大きい場合、前記強風量において前記温感変化点風量以上における送風量の積算値である強積算風量に応じて前記強終了風量を制御することを特徴とする請求項１または２または４に記載の送風装置。
【請求項６】
小風量を送風する弱気流と、大風量を送風する強気流とを交互に発生させる送風制御を備えた送風装置であって、前記強気流の最大風量である強上限風量と室温に応じて規定される温感変化点風量とを比較し、前記強気流から前記弱気流に移行する際の風量である強終了風量を制御することを特徴とする制御プログラム。
【請求項７】
前記強上限風量が室温に応じて規定される温感変化点風量よりも大きい場合は前記強終了風量を前記弱気流から前記強気流へ移行する際の風量である強開始風量よりも小さくするように制御することを特徴とする請求項６に記載の制御プログラム。
【請求項８】
前記強上限風量が室温に応じて規定される温感変化点風量よりも小さい場合は強終了風量を前記弱気流から前記強気流へ移行する際の風量である強開始風量よりも大きくするように制御することを特徴とする請求項６に記載の制御プログラム。
【請求項９】
前記強上限風量が室温に応じて規定される温感変化点風量よりも大きい場合に設定される第１強終了風量は、前記強上限風量が室温に応じて規定される温感変化点風量よりも低い場合に設定される第２強終了風量よりも小さくするように制御することを特徴とする請求項６に記載の制御プログラム。
【発明の詳細な説明】
【技術分野】
【０００１】
本発明は、使用者に心地よい風を提供する送風装置及び送風制御プログラムに関するものである。
【背景技術】
【０００２】
室内空間の快適性を向上させるため、風、光、音、温熱環境について様々な検討が実施されている。例えば風に関しては、人に好まれる風は１／ｆゆらぎに近い風であることが様々な文献において報告されており、広く知られている。これは、風量の変化を１／ｆゆらぎにすることで、自然の風のゆらぎに近づくため、一定風量の風よりも心地よさを与えられると考えられている。そこで、扇風機や空気調和機には、送風量に強弱を与えることで１／ｆゆらぎの送風を行うゆらぎ制御プログラムがある（例えば、特許文献１参照）。
【先行技術文献】
【特許文献】
【０００３】
【特許文献１】特開２０１４−６６４８５号公報
【発明の概要】
【発明が解決しようとする課題】
【０００４】
図１３に示すように、ゆらぎ制御プログラム１０１は、１／ｆゆらぎでゆらぐ送風量に対応するファンの回転数の基本パターンに基づき、ファン回転数を変化させる第１送風パターン１０２と第２送風パターン１０３とから構成される。第１送風パターン１０２は、予め設定したファンの回転数の第１上限値１０４と第１下限値１０５との間で基本パターンに基づき、ファンの回転数を変化させるものである。一方で、第２送風パターン１０３は、第１送風パターン１０２よりもファンの回転数の振幅を小さくした第２上限値１０６と第２下限値１０７との間で基本パターンに基づき、ファンの回転数を変化させるものである。そして、第２送風パターン１０３が第１送風パターン１０２と第１送風パターン１０２との間に入るように設定されているものである。
【０００５】
上記従来例では、第１送風パターンと第２送風パターンで送風量が変化するため、ユーザーが心地よいゆらぎの変動感を感じたとしても体感温度がそれぞれのパターンで変わるため、温感として不快になるという課題があった。
【０００６】
そこで本発明は、上記従来の課題を解決するものであり、心地よいゆらぎの変動感を与えつつ、温感が熱的中立を維持できることで快適性を向上させることを目的とする。
【課題を解決するための手段】
【０００７】
そして、この目的を達成するために、本発明に係る送風装置は、小風量を送風する弱気流と、大風量を送風する強気流とを発生させる送風制御を備えた送風装置であって、前記強気流の最大風量である強上限風量と室温に応じて規定される温感変化点風量とを比較し、前記強気流から前記弱気流に移行する際の風量である強終了風量を制御するものであり、これにより所期の目的を達成するものである。
【発明の効果】
【０００８】
本発明によれば、強気流によって心地よいゆらぎの変動感を感じながらも体感温度が低下するため、温感が変化する風量に応じて体感温度を上昇させる風量に制御する温感を熱的中立に維持することができるようになる。したがって、心地よいゆらぎの変動感を与えつつ、温熱的な快適性を向上させる効果を得ることができる。
【図面の簡単な説明】
【０００９】
【図１】実施の形態１及び２の送風装置の設置例を示す概念図
【図２】実施の形態１及び２に係る送風装置の構成例を示す正面図
【図３】実施の形態１及び２に係る送風装置のＡ−Ａ‘断面を示す断面図
【図４】実施の形態１に係るモーターの制御系の構成を示すブロック図
【図５】自然の風の風速変化を示すグラフ
【図６】図５の一部を拡大したグラフ
【図７】送風装置の送風量変化の一例を示すグラフ
【図８】実施の形態１に係る室温２７℃時の風量とＰＭＶの関係を示すグラフ
【図９（ａ）】室温２７℃時の風量の時系列変化を示すグラフ
【図９（ｂ）】室温２７℃時の風量変化によるＰＭＶの時系列変化を示すグラフ
【図１０】実施の形態１に係る室温２８℃時の風量とＰＭＶの関係を示すグラフ
【図１１（ａ）】室温２８℃時の風量の時系列変化を示すグラフ
【図１１（ｂ）】室温２８℃時の風量変化によるＰＭＶの時系列変化を示すグラフ
【図１２】実施の形態２に係るモーターの制御系の構成を示すブロック図
【図１３】従来の空気調和機のファンの回転数波形を示すグラフ
【発明を実施するための形態】
【００１０】
本発明に係る送風装置及びゆらぎ制御プログラムは、小風量を送風する弱気流と、大風量を送風する強気流とを発生させる送風制御を備えた送風装置であって、強気流の最大風量である強上限風量と室温に応じて規定される温感変化点風量とを比較し、強気流から弱気流に移行する際の風量である強終了風量を制御するものである。これにより、使用者は強気流によって温感が変化した場合であっても、温感を調整するように強終了風量を制御することで体感温度が調整される。したがって、心地よいゆらぎの変動感を与えつつ、温熱的な快適性を向上させる効果を得られる。
【００１１】
また、強上限風量が室温に応じて規定される温感変化点風量よりも大きい場合は強終了風量を弱気流から強気流へ移行する際の風量である強開始風量よりも小さくするように制御するものである。これにより、使用者は強気流によって心地よいゆらぎの変動感を感じながらも体感温度が低下する。その際の強上限風量が温感変化点風量よりも高い、すなわち温感が熱的中立に対して寒い側に変化する場合、強終了風量は強開始風量よりも低くして低下した体感温度を上昇させるようにすることで温感を熱的中立に維持することができるようになる。したがって、心地よいゆらぎの変動感を与えつつ、温熱的な快適性を向上させる効果を得られる。
【００１２】
また、強上限風量が室温に応じて規定される温感変化点風量よりも小さい場合は強終了風量を弱気流から強気流へ移行する際の風量である強開始風量よりも大きくするように制御するようにしてもよい。これにより、使用者は強気流によって心地よいゆらぎの変動感を感じながらも強上限風量が温感変化点風量よりも低い、すなわち温感が熱的中立に対して暑い側のままである場合、強終了風量は強開始風量よりも高くして更に体感温度を低下させるようにすることで温感を熱的中立に維持することができるようになる。したがって、心地よいゆらぎの変動感を与えつつ、温熱的な快適性を向上させる効果を得られる。
【００１３】
また、強上限風量が室温に応じて規定される温感変化点風量よりも大きい場合に設定される第１強終了風量は、強上限風量が室温に応じて規定される温感変化点風量よりも低い場合に設定される第２強終了風量よりも小さくするように制御する
ようにしてもよい。
【００１４】
これにより、使用者は強気流によって心地よいゆらぎの変動感を感じながらも体感温度が低下する。その際の強上限風量が温感変化点風量よりも高い、すなわち温感が熱的中立に対して寒い側に変化する場合は強終了風量を低くし、強上限風量が温感変化点風量よりも低い、すなわち温感が熱的中立に対して暑い側のままである場合は相対的に強終了風量を高くすることで温感を熱的中立に維持することができるようになる。したがって、心地よいゆらぎの変動感を与えつつ、温熱的な快適性を向上させる効果を得られる。
【００１５】
また、強上限風量が温感変化点風量よりも大きい場合、強風量において温感変化点風量以上における送風量の積算値である強積算風量に応じて強終了風量を制御するようにしてもよい。これにより、強上限風量が温感変化点風量を越えて温熱的に寒い側になる積算風量に応じて、強終了風量を低下した体感温度を上昇させて中立に戻すように制御することで、温感を熱的中立に維持することができるようになる。したがって、心地よいゆらぎの変動感を与えつつ、温熱的な快適性を向上させる効果を得られる。
【００１６】
以下、本発明の実施の形態について図面を参照しながら説明する。
【００１７】
（実施の形態１）
以下、本発明の実施の形態１について、図１から図１１を参照しながら説明する。
【００１８】
図１は、本発明の実施の形態１に係る扇風機３の設置例を示す概念図である。
【００１９】
図１に示すように、部屋１の床２上には、扇風機３とソファ４が設置されている。また、扇風機３の正面にソファ４が配置されており、ソファ４上にユーザー５が座っている。扇風機３は、部屋１内の空気をユーザー５に向けて、自然のゆらぎのような風を送風し、ユーザー５に快適さと自然の風から感じる心地よさを提供する。
【００２０】
図２は、扇風機３の構成例を示す正面図である。扇風機３は、風を送風するためのプロペラファン６と、プロペラファン６を一定の高さに固定する支持体７とから構成されている。
【００２１】
図３は、扇風機３のＡ―Ａ‘断面を示す断面図である。プロペラファン６は、回転軸である回転体８と、回転体８に複数接続された回転することで空気中に圧力差を発生させる部材である翼９と、翼９とユーザー５が接触することを防止する部材であるガード１０と、回転体に動力を供給する動力部１１とから構成されている。また、動力部１１は回転体８に動力を供給するモーター１２と、モーター１２の回転数を制御する制御基板１３と、制御基板１３とモーター１２との間で信号の受け渡しを行う信号線１４とで構成されている。また、室内の室温を検知する手段として温度センサ１５（図示せず）を備え、検知した温度情報は制御基板１３に伝達される。
これらの構成により、扇風機３は制御基板１３から送信される信号に基づいて、モーター１２の回転数を変化させることで、ユーザー５に送風する風量を変化させている。
【００２２】
図４は、制御基板１３内部におけるモーター１２の制御系の機能構成を示すブロック図である。制御基板１３は、予め設定された時系列でモーター１２の回転数を変化させるプログラムであるゆらぎ制御プログラム１６を記憶するマイコン１７と、マイコン１７に記憶されたゆらぎ制御プログラム１６に基づいた信号をモーター１２に出力する信号出力部１８と、温度センサ１５から受信した温度検知情報から温感を予測計算する計算部１９と、計算部１９によって算出された温感によってユーザー５が暑いと感じているのか／寒いと感じているのかを判別する温感判別部２０から構成されている。
【００２３】
本実施例では計算部１９によって算出する温感の指標としてＰＭＶ（Ｐｒｅｄｉｃｔｅｄ  Ｍｅａｎ  Ｖｏｔｅ）を用いている。ＰＭＶ指標では、値がプラス側であると暑い、値がマイナスであると寒いと判別できる。したがって、温感判別部２０は、ＰＭＶの値がプラスであるか、マイナスであるかによって温感を判別できるようになっている。ＰＭＶ指標の具体的な計算方法については後で詳しく述べる。
【００２４】
つまり、制御基板１３は空間内の温度情報から温感を予測し、温感の判別を行った上でゆらぎ制御プログラム１６を変更し、ゆらぎ制御プログラム１６に基づいた信号を信号線１４を介してモーター１２に送ることで、モーター１２の回転数を時系列で変化させ、ユーザー５に送風する風量を変化させることができる。
【００２５】
上記構成により、本実施の形態において、制御基板１３は送風機３から吹き出される風が、自然のゆらぎの風のようにユーザーが感じられるようにモーター１２を制御する。
【００２６】
ここで、自然の風の特徴について図５および図６を用いて説明する。図５は、自然の風を風速計を用いて測定した場合に得られる風速の時系列変化を示す風速変化図である。また、図６は図５に示したＢ区間の拡大図である。
【００２７】
図５に示すように、自然の風の風速は、時系列で常に変化しており、その変化範囲は０．１ｍ／ｓから１．８ｍ／ｓである。また、風速が１．０ｍ／ｓを超えて大きい波形である大波形２１が観測された周期は、１０ｓから３００ｓの範囲である。図６を用いて、さらに自然の風の詳細について述べる。図６に示すように、自然の風の風速は、大波形２１と風速が１．０ｍ／ｓ以下の波形である小波形２２とが交互に発生する構成となっている。また、小波形２２から大波形２１が発生する際の風速の変化量である風量変化幅２３は、０．４ｍ／ｓから１．２ｍ／ｓの範囲である。したがって、自然の風は、風量変化幅２３が前述の範囲であることで、ユーザー５が明確に風速の変化を知覚し、風のゆらぎから自然の風を想起し、心地よいと感じるのである。
【００２８】
本実施の形態において、ゆらぎ制御プログラム１６は、上述した自然の風の風速変化をユーザーに与えられるようにモーター１２の回転数を変化させ、プロペラファン６から送風する風量を制御する。
【００２９】
以下に本実施の形態に係る扇風機３のゆらぎ制御について述べる。図７は、本実施の形態１に係る扇風機３の風量変化を示すグラフである。図７に示すように、ゆらぎ制御は、送風量が４００ｍ３／ｈで送風を行う弱気流２４と、送風量が弱気流２４より大きく１０００ｍ３／ｈで送風を行う強気流２５とを交互に行う。このとき、扇風機３とユーザー５との距離が約２ｍの位置で測定される風速が、弱気流２４では約０．４ｍ／ｓであり、強気流２５では１．６ｍ／ｓである。また、弱気流２４と強気流２５の風量は、弱気流２４から強気流２５へ移行する際の弱気流２４の風量である強開始風量２６と、強気流２５の最大風量である強上限風量２７との差である風量変化幅２３に基づいて設定されている。
【００３０】
風量変化幅２３は、前述した自然の風における風量変化幅２３を満たす範囲で設定できる。
【００３１】
本実施の形態では、１．２ｍ／ｓの風量変化幅２３を満たすように、弱気流２４の風量と強気流２５の風量とをそれぞれ設定した。したがって、自然の風に見られる風量変化幅２３を満たす風量変化幅２３に基づいて、弱気流２４と強気流２５とを交互に行うことで自然なゆらぎと感じる風をユーザー５に提供することができる。
【００３２】
次に、ゆらぎ制御によるユーザー５の温感の指標として用いられるＰＭＶ指標の計算方法について述べる。ＰＭＶ指標を計算する際に用いるパラメータとして、室温（℃）、相対湿度（％）、放射温度（℃）、風速（ｍ／ｓ）、着衣量（ｃｌｏ）、活動量（ｍｅｔ）がある。ＰＭＶの値は、時系列な風量変化があった場合、ユーザー５に暴露される気流の風速も変化するため、時系列な風量変化すなわち風速変化に応じてユーザー５の温感指標であるＰＭＶの値も変化する。
【００３３】
風量と風速の関係はユーザー５と扇風機３との距離の情報を入手することで、所定の風量における送風によって、ユーザーが受ける送風の風速を算出することが可能である。本実施例の扇風機３ではユーザー５と扇風機３との距離を２ｍとし、所定の風量における送風によって、扇風機３から２ｍ離れたユーザー５が受ける送風の風速との関係を把握することで、扇風機３の送風量からユーザー５が受ける送風の風速を求めることができる。
【００３４】
また、風速以外のＰＭＶ指標を算出する上で必要になるパラメータである室温は温度センサ１５からの検知情報を用いることができる。なお、放射温度は室温と同一とし、相対湿度は６０％、着衣量は夏服を想定して０．６ｃｌｏ、活動用は着座安静を想定して１．０ｍｅｔと決めておけばＰＭＶの予測計算が可能となる。
【００３５】
上記の計算方法により、ＰＭＶ指標は室温と風量（風速）から求められる。このＰＭＶ指標よりＰＭＶの値がプラスからマイナスに変化する点及びマイナスからプラスに変化する点、すなわちＰＭＶ＝０のときの風量を求めることができる。このＰＭＶ＝０のときの風量を温感変化点風量２８として規定することができる。
【００３６】
本発明では、強上限風量２７と室温に応じて規定される温感変化点風量２８とを比較し、強気流２５から弱気流２４に移行する際の風量である強終了風量を制御することに特徴があり、以下温感変化点風量２８に応じた制御方法について述べる。
【００３７】
図８に風速とＰＭＶ指標の関係性を表すグラフ（室温２７℃時）を示す。
【００３８】
図８でＰＭＶ指標の計算に用いたパラメータ条件として、温度は温度センサ１５の検知情報から室温２７℃、その他のパラメータとして放射温度は２７℃、相対湿度は６０％、着衣量は０．６ｃｌｏ、代謝量は１．０ｍｅｔとして風速値のみ０〜２．０ｍ／ｓまで変化させて算出している。
【００３９】
図８からＰＭＶ＝０のときの風速は０．６ｍ／ｓとなり、この時の温感変化点風量２８は５２０ｍ３／ｈと規定される。
【００４０】
次に図９（ａ）に風量の時系列変化グラフ、図９（ｂ）に図９（ａ）の風量変化によるＰＭＶの時系列変化グラフを示して説明する。
【００４１】
図９（ａ）に示すように、弱気流２４の風量、すなわち強開始風量２６は４００ｍ３／ｈで温感変化点風量２８の５２０ｍ３／ｈよりも小さい。強開始風量２６から風量が上昇し、強上限風量２７の風量は１０００ｍ３／ｈに到達し、温感変化点風量２８の５２０ｍ３／ｈよりも大きくなっている。
【００４２】
図９（ｂ）に示すように、強開始風量２６のＰＭＶは、ＰＭＶ＋０．１４で暑い側となっており、強上限風量２７のＰＭＶは、ＰＭＶ−０．４４で寒い側となっている。この場合、強上限風量２７の温感は寒い側になるため、強終了風量は強開始風量２６よりも少ない風量（第１強終了風量２９と呼ぶ）に変更し、例えば風量２４０ｍ３／ｈとなるようにすればＰＭＶ＋０．４４で強開始風量２６のＰＭＶ＋０．１４よりも暑い側となり、強上限風量２７によって冷えた体を代謝による産熱によって温め直すことができる。これにより弱気流２４と強気流２５による送風におけるユーザーの温感は熱的中立に維持することができるため、心地よいゆらぎの変動感を与えつつ、温感が熱的中立を維持できることで快適性を向上させる効果が得られる。
【００４３】
第１強終了風量２９を決めるにあたって、更に望ましくは、強上限風量２７の温感と第１強終了風量２９の温感が相殺するように合わせるようにすると、温感の偏りを生じさせず、温熱的な快適性向上効果を一層高められる。具体的には、強上限風量２７のＰＭＶの絶対値と第１強終了風量２９のＰＭＶの絶対値を合わせるようにすれば良く、図９（ｂ）に示すように、強上限風量２７によってＰＭＶ−０．４４まで低下しているので、第１強終了風量２９はＰＭＶが＋０．４４となる２４０ｍ３／ｍｉｎに変更すればよい。これにより、強上限風量２７によって温感が寒い側に振れた分、強気流２５終了後は同程度暑い側に振ることで温感の偏り無く熱的中立を維持することができる。
【００４４】
更に、強上限風量２７が温感変化点風量２８よりも大きい場合、温感変化点風量２８以上における送風量の積算値である強積算風量３０に応じて第１強終了風量２９を制御しても良い。
【００４５】
以下、強積算風量３０に応じた第１強終了風量２９の制御方法について説明する。
【００４６】
図９（ａ）に示すように強積算風量３０は、温感変化点風量２８以上の送風量であり、図中の斜線部で示される。このとき、図９（ｂ）に示すように、強積算風量３０におけるＰＭＶがマイナスになる領域を冷感領域３１とすると、冷感領域３１は図中の斜線部で示される。一方、強上限風量２７から温感変化点風量２８を下回って第１強終了風量２９に移行し、第１強終了風量２９を一定値として所定時間継続している間のＰＭＶがプラス側になる領域を温感領域３２とすると、温感領域３２は図中の斜線部で示される。また、図９（ｂ）の冷感領域３１の時間を冷感時間３３、温感領域３２の時間を温感時間３４とする。
【００４７】
このとき、第１強終了風量２９の制御方法として、冷感領域３１と温感領域３２が略同面積となるように第１強終了風量２９及び継続時間を設定して制御することで強上限風量２７によって温感が寒い側に振れた分、強気流２５終了後は同程度暑い側に振ることで温感の偏り無く熱的中立を維持することができる。
【００４８】
一例として、図９（ａ）及び図９（ｂ）では温感変化点風量２８が５２０ｍ３／ｈを超えて送風する冷感時間３３が７秒間、強上限風量２７（１０００ｍ３／ｈ）のＰＭＶが−０．４４であり、第１強終了風量２９を２４０ｍ３／ｈ、ＰＭＶを＋０．４４に制御したとすると、ＰＭＶの絶対値が同等であるため、温感時間３４は冷感時間３３と同一時間とすれば冷感領域３１と温感領域３２が同等となることから、温感時間３４も７秒間となる時間まで第１強終了風量２９を継続するようにしている。
【００４９】
上記一例ではＰＭＶの絶対値が同等の場合であるが、ＰＭＶの絶対値が同等ではなく、例えば強上限風量２７のＰＭＶが−０．４４、冷感時間３３が７秒間であったときに第１強終了風量２９のＰＭＶが＋０．２２となる風量２７０ｍ３／ｈに制御した場合は温感時間３４を冷感時間３３の２倍の１４秒間となるように第１強終了風量２９を継続するように制御すれば良い。
【００５０】
このように強積算風量３０における冷感領域３１に合わせて温感領域３２が同等となるように第１強終了風量２９を制御することで所期の効果が得られる。
【００５１】
以上の強終了風量の制御方法は、強上限風量２７が温感変化点風量２８よりも大きい場合であり、以下、強上限風量２７が温感変化点風量２８よりも小さい場合の制御方法について説明する。
【００５２】
図１０に風速とＰＭＶの関係性を表すグラフ（室温２８℃時）を示す。
【００５３】
図１０でＰＭＶの計算に用いたパラメータ条件として、温度は温度センサ１５の検知情報から室温２８℃、その他のパラメータとして放射温度は２８℃、相対湿度は６０％、着衣量は０．６ｃｌｏ、代謝量は１．０ｍｅｔとして風速値のみ０〜２．０ｍ／ｓまで変化させて算出している。
【００５４】
図１０からＰＭＶ＝０のときの風速は２．０ｍ／ｓとなり、この時の温感変化点風量２８は１１６０ｍ３／ｈと規定される。
【００５５】
次に図１１（ａ）に風量の時系列変化グラフ、図１１（ｂ）に図１１（ａ）の風量変化によるＰＭＶの時系列変化グラフを示して説明する。
【００５６】
図１１（ａ）に示すように、弱気流２４の風量、すなわち強開始風量２６が４００ｍ３／ｍｉｎ及び強上限風量２７が１０００ｍ３／ｈのいずれも温感変化点風量２８の１１６０ｍ３／ｈよりも小さい風量となっている。
【００５７】
図１１（ｂ）に示すように、強開始風量２６のＰＭＶは＋０．５６、強上限風量２７のＰＭＶは＋０．０７でいずれも暑い側となっている。
【００５８】
この場合、強上限風量２７の温感は温感変化点風量２８より小さく、暑い側になるため、強終了風量は強開始風量２６よりも大きくするように制御した第２強終了風量３５として７４０ｍ３／ｈとなるようにすればＰＭＶ＋０．１８で強開始風量２６のＰＭＶ＋０．５６よりも小さい値のＰＭＶとなり、暑さを強開始風量２６よりも熱的中立に近い温感に近づけることができる。これによりユーザー５の温感は熱的中立を維持することができるため、心地よいゆらぎの変動感を与えつつ、温感が熱的中立を維持できることで快適性を向上させる効果が得られる。
【００５９】
第２強終了風量３５を決めるにあたって、更に望ましくは、強上限風量２７に対して風量変化幅２３と同じく０．４ｍ／ｓから１．２ｍ／ｓの範囲内にすると強上限風量２７から第２強終了風量３５に移行した際の気流感の変化を感じとることができ、それが自然な心地よいゆらぎの変動感として感じることができる。
【００６０】
また、上記の場合とは逆に例えば室温が２５℃の時、風速０ｍ／ｓ（風量０ｍ３／ｈ）であってもＰＭＶが−０．０４と寒い側であり、温感変化点風量２８は０ｍ３／ｈ以下となるため、弱気流２４及び強気流２５を発生させた時点で温感変化点風量２８よりも大きくなり、ＰＭＶが更に低下する。この場合、第１強終了風量２９はＰＭＶが０に近い風量、例えば０ｍ３／ｈに制御すると所期の効果を得ることができる。
【００６１】
このように、強上限風量２７が室温に応じて規定される温感変化点風量２８よりも大きい場合に設定される第１強終了風量２９は、強上限風量２７が室温に応じて規定される温感変化点風量２８よりも低い場合に設定される第２強終了風量３５よりも小さくするように制御することで、同様の効果が得られる。
【００６２】
尚、本実例では以上のＰＭＶ指標の算出にあたって室温のみ温度センサ１５の検知情報を用いたが、更にＰＭＶ計算に用いるパラメータに関する情報を検知する手段を扇風機３に備え、それらの検知情報も計算部１９に伝達して計算に反映してもよい。一例として相対湿度を検知する手段として湿度センサ、放射温度を検知する手段として赤外線センサなどがある。さらに、ＰＭＶ指標を用いた制御において、ＰＭＶ指標を作成する上で必要となる温度、相対湿度、着衣量等の情報を外部サーバや通信端末から扇風機３が取得する構成であってもよい。
【００６３】
また、本発明の制御プログラムは、扇風機３内の制御基板１３内のメモリに内蔵されている構成以外に、外部サーバや通信端末等と扇風機３内の制御基板１３とが通信することで、制御プログラムを取得するような構成であってもよい。
【００６４】
また、着衣量は季節によって変化すると考えられるため、例えば室温が２５℃以上の場合の季節は夏と仮定して着衣量パラメータを夏服相当の０．６ｃｌｏでＰＭＶを算出し、室内の温度が２５℃未満の場合の季節は冬と仮定して着衣量パラメータを冬服相当の１．１ｃｌｏでＰＭＶを算出することで温感変化点風量２８を規定しても良い。
【００６５】
なお、信号線１４は、有線のコードを用いた接続のほか、無線通信を行っても良い。
【００６６】
なお、弱気流２４の風量は４００ｍ３／ｈに限定されるものではなく、強気流２５の風量も１０００ｍ３／ｈに限定されるものではない。
（実施の形態２）
温感変化点風量２８を規定する別の手段として、ユーザー５の皮膚温を計測する皮膚温センサ３６を用いても良い。
【００６７】
図１２は、実施の形態２の制御基板１３内部の制御系の機能構成を示すブロック図である。
【００６８】
皮膚温センサ３６は一例として赤外線を用い、離れた場所から非接触で人体の皮膚表面温度を計測できるものであり、扇風機３に内臓されている。皮膚温度センサ３６は、人体の皮膚表面温度を計測できれば、扇風機３のどこに設けられていてもよく設置場所は特定しない。
【００６９】
また、計測する皮膚温の人体部位として、手先の皮膚温を計測できるようにしている。一般的に人体の皮膚温は温熱状態に応じて自律神経作用によって血流量をコントロールして皮膚温度をからの放熱量を調整している。このとき、特に手先や足先などの末梢部の皮膚温変化が大きいため、末梢部の皮膚温を計測すると温熱状態を把握しやすい。
【００７０】
皮膚温センサ３６によって計測した皮膚温の検知情報が温感判別部２０に伝達され、温感判別部２０は皮膚温が３５．０℃より高い場合の温感は暑い、３５．０℃より低い場合の温感は寒いと判別されるように設定した場合、皮膚温が３５．０℃になる風量が温感変化点風量２８として規定できるため、実施の形態１と同様に強上限風量２７と温感変化点風量２８を比較し、強終了風量を制御することで所期の効果が得られる。また、人体の皮膚温と温感の関係性は個人差があるため、温感の判別を行う皮膚温の設定は外部から調整できるようにできると良く、より精度の高い温熱快適性が得られる。
【産業上の利用可能性】
【００７１】
以上のように本発明にかかる送風装置および送風制御プログラムは、より自然なゆらぎを感じる風をユーザーに提供することを可能とするものであるので、空気調和機、扇風機、天井扇等の送風機器全般に有用である。
【符号の説明】
【００７２】
１    部屋
２    床
３    扇風機
４    ソファ
５    ユーザー
６    プロペラファン
７    支持体
８    回転体
９    翼
１０    ガード
１１    動力部
１２    モーター
１３    制御基板
１４    信号線
１５    温度センサ
１６    ゆらぎ制御プログラム
１７    マイコン
１８    信号出力部
１９    計算部
２０    温感判別部
２１    大波形
２２    小波形
２３    風量変化幅
２４    弱気流
２５    強気流
２６    強開始風量
２７    強上限風量
２８    温感変化点風量
２９    第１強終了風量
３０    強積算風量
３１    冷感領域
３２    温感領域
３３    冷感時間
３４    温感時間
３５    第２強終了風量
３６    皮膚温センサ
【図１】
2018091155.tif 000003
【図２】
2018091155.tif 000004
【図３】
2018091155.tif 000005
【図４】
2018091155.tif 000006
【図５】
2018091155.tif 000007
【図６】
2018091155.tif 000008
【図７】
2018091155.tif 000009
【図８】
2018091155.tif 000010
【図９（ａ）】
2018091155.tif 000011
【図９（ｂ）】
2018091155.tif 000012
【図１０】
2018091155.tif 000013
【図１１（ａ）】
2018091155.tif 000014
【図１１（ｂ）】
2018091155.tif 000015
【図１２】
2018091155.tif 000016
【図１３】
2018091155.tif 000017